(57)【要約】【課題】簡易な構成で天板の急落下を防止する。【解決手段】収納式天板は、収納部２に回転可能に設けられて天板１と接触し、天板１の収納部２に対するスライド移動によって回転するローラ部３と、ローラ部３に接続されて天板１の収納方向の移動に伴うローラ部３の回転に対して抵抗力を発生する一方向性のロータリーダンパ４とを備える。【選択図】        図１
2004248720.tif 000002
【特許請求の範囲】
【請求項１】
天板と該天板を垂直状態で収納する収納部とを備え、前記収納部から鉛直上方に向かって引き出された前記天板が水平状態に転回することで使用状態となる収納式天板において、前記収納部と前記天板の一方に回転可能に設けられて前記収納部と前記天板の他方と接触し、前記天板の前記収納部に対するスライド移動によって回転するローラ部と、前記ローラ部に接続されて前記天板の収納方向の移動に伴う前記ローラ部の回転に対して抵抗力を発生する一方向性のロータリーダンパとを備えることを特徴とする収納式天板。
【発明の詳細な説明】
【０００１】
【発明の属する技術分野】
本発明は、収納式天板に関する。さらに詳述すると、本発明は、収納時における天板の落下スピードを抑えるための構造に関する。
【０００２】
【従来の技術】
従来、各種ホールや公民館などに前後左右に多数列設して利用される連結椅子であって、各座席部の背裏側に筆記台として使用する天板を設けたものが開示されている（特許文献１参照）。この連結椅子では、収納部に垂直状態で収納された天板を鉛直上方に向かって引き上げた後に水平状態に転回することで、天板を筆記台として使用できると共に、使用後は逆の操作を行なうことで天板を収納部に収納できるようにしている。
【０００３】
また、特許文献２には、上部パネルと下部パネルとをヒンジにより連結して構成される天板と、この天板が垂直状態で収納される収納部とを備える机が開示されている。この天板は、収納部から鉛直上方に向かって引き上げた後に上部パネルを下部パネルに対して９０度回転することで使用状態となる。さらに、収納部内に巻取ローラを固着し、巻ばねの一端をこの巻取ローラに固着すると共に他端を下部パネルの下端に固着して、巻ばねが巻取ローラに巻き付こうとする力で下部パネルを上方に付勢するようにし、小さな力で天板を上方に引き出せるようにすると共に天板の急落下を防止するようにしている。
【０００４】
【特許文献１】
実開昭６３−１６６０６０号公報
【特許文献２】
特開２０００−２３６９５０号公報
【０００５】
【発明が解決しようとする課題】
しかしながら、特許文献１に開示された技術では、収納時に天板が自重で落下し、天板と収納部下端が接触する際に衝撃音が発生し、騒音が生じてしまう。また、この衝撃によって天板や収納部が破損してしまう虞もある。さらに、天板が勢い良く落下する際に使用者の指などを天板と収納部の間に挟んでしまう虞もある。
【０００６】
一方、特許文献２の構成の場合、収納部内を摺動して巻ばねが取り付けられる下部パネルと作業スペースとなる上部パネルとの別個の部材をヒンジで連結して天板を構成する必要があり、更に収納部内に巻取ローラを設置してこの巻取ローラと下部パネルとを巻ばねで連結する必要があるなど、構造が複雑になってしまう。また、天板の使用頻度が高くなると巻ばねのばね力が低下して天板の急落下を防止しきれなくなる虞もある。また、天板を急に引き上げると巻ばねが絡まる虞もあり、巻ばねが巻取ローラに確実に巻き取られるように気を付けながら天板を引き上げる必要が生じるなど、使い勝手が良くない。
【０００７】
また、内部にガスを封入したシリンダ装置（所謂ガスダンパ）を用いて天板の急落下を防止することも考えられるが、この場合、ガスダンパが伸縮する分のスペースを必要とするため収納部が大型化してしまう。また、収納部内における天板の移動をガスダンパに伝達する機構が必要となるなど、構造が複雑になってしまう。
【０００８】
そこで本発明は、簡易な構成で天板の急落下を防止できる収納式天板を提供することを目的とする。
【０００９】
【課題を解決するための手段】
かかる目的を達成するため、請求項１記載の発明は、天板と該天板を垂直状態で収納する収納部とを備え、収納部から鉛直上方に向かって引き出された天板が水平状態に転回することで使用状態となる収納式天板において、収納部と天板の一方に回転可能に設けられて収納部と天板の他方と接触し、天板の収納部に対するスライド移動によって回転するローラ部と、ローラ部に接続されて天板の収納方向の移動に伴うローラ部の回転に対して抵抗力を発生する一方向性のロータリーダンパとを備えるようにしている。
【００１０】
したがって、天板を収納部に収納する際に、天板が収納部内を落下するのに伴ってローラ部が回転すると同時に、ロータリーダンパが当該ローラ部の回転に対して抵抗力即ちブレーキ力を発生させるので、天板の落下スピードが抑えられ、天板を収納位置までゆっくりと下降させることができる。一方、天板を収納部から引き出す際にはローラ部が逆回転するが、一方向性のロータリーダンパは当該ローラ部の回転に対しては制動力を発生しないため、天板をスムーズに引き出すことができる。
【００１１】
【発明の実施の形態】
以下、本発明の構成を図面に示す実施形態に基づいて詳細に説明する。
【００１２】
図１から図１０に本発明の収納式天板の実施の一形態を示す。この収納式天板は、天板１とこの天板１を垂直状態で収納する収納部２とを備え、収納部２から鉛直上方に向かって引き出された天板１が水平状態に転回することで使用状態となるものである。例えば図２中の二点鎖線で示す天板１は使用状態を表す。そして、この収納式天板は、収納部２と天板１の一方に回転可能に設けられて収納部２と天板１の他方と接触し、天板１の収納部２に対するスライド移動によって回転するローラ部３と、ローラ部３に接続されて天板１の収納方向（即ち収納位置に向かう方向）の移動に伴うローラ部３の回転に対して抵抗力を発生する一方向性のロータリーダンパ４とを備えている。例えば本実施形態では、ローラ部３を収納部２に設けて、天板１が収納部２に対してスライド移動する際に天板１とローラ部３が接触し、天板１の移動に伴ってローラ部３が回転するように構成している。
【００１３】
本実施形態の天板１は、例えば矩形で平板状の天板本体５と、天板本体５の先端側の一辺に固定された角柱状の端材６と、天板１の表面１ａの後端側に設けられた天板側ストッパ７とを有して構成されている。天板本体５と端材６とは、天板１の表面１ａおよび側面１ｂにおいて同一面を形成する一方、天板１の裏面１ｃ側において端材６が天板本体５からやや突出するようにしている。このような構成によって使用者が天板１を操作する際に端材６に指を掛け易くし、操作性を高めるようにしている。但し、天板１の形状は天板１の用途（例えばメモ台など）に適合するものであって収納部２内に収納し得る形状であれば特に限定されるものではない。
【００１４】
収納部２には鉛直上方に向かって開口した収納空間が形成されおり、この収納空間内に天板１が垂直状態で保持されるようにしている。ここで本明細書において、垂直状態および鉛直上方とは、厳密な垂直および鉛直方向（例えば図７参照）のほかに、天板１が自重落下によって収納部２に収納され得るほぼ垂直およびほぼ鉛直な方向（例えば図８参照）も含む概念としている。
【００１５】
本実施形態の収納部２は、例えば、収納位置にある天板１の表面１ａ側と対向しローラ部３が取り付けられるベース板８と、収納位置にある天板１の側面１ｂ側と対向する側板９と、収納部２内における天板１のスライド移動を案内するスライダガイド１０と、収納位置にある天板１の後端を支持して天板１の鉛直下方への移動を規制する下ストッパ１１と、天板１の鉛直上方への引き上げ時には天板１が収納部２から抜け出てしまうことを防止し、且つ収納部２から引き出された天板１が使用状態への回転とは逆に回転してしまうことを防止し、且つ天板１が水平状態を超えて回転してしまうことを規制する上ストッパと、収納部２の下面を閉塞する下カバー１３と、収納部２におけるベース板８と対向する面を閉塞するカバー１４とを有して構成されている。尚、図１はカバー１４を外した状態を示している。ベース板８および一対の側板９および下カバー１３は、例えば一枚の金属板材をせん断や曲げ等で加工することにより一体に形成されている。但し、収納部２の構成は天板１を収納し得るものであれば良く、本実施形態の例に限定されるものではない。
【００１６】
スライダガイド１０は、２つの側板９にそれぞれ設けられており、側板９における天板１の側面１ｂと対向する面に例えばねじ止め等で固定されている。このスライダガイド１０は、天板１の表面１ａ側において天板１のスライド移動方向に延びる第１ガイド１０ａと、天板１を挟むようにして第１ガイド１０ａと対向する位置に在り天板１の裏面１ｃ側において天板１のスライド移動方向に延びる第２ガイド１０ｂとを有して構成されている。第１ガイド１０ａと第２ガイド１０ｂの間隔は天板１の円滑な移動を妨げないように天板本体５の厚みよりやや広く設定されている。また、収納部２をコンパクトに構成するために、第２ガイド１０ｂの天板１の厚み方向の肉厚を、第１ガイド１０ａの当該厚み方向の肉厚よりも薄くしている。また、天板１が水平状態に転回する際に天板１の後端と接触してしまうことのないように、天板１の出入口側における第１ガイド１０ａの端部を傾斜させている（図２参照）。さらに、スライダガイド１０は天板側ストッパ７と接触することのない大きさに設定されている（図１および図３参照）。
【００１７】
下ストッパ１１は、２つの側板９にそれぞれ設けられている。この下ストッパ１１は、例えば図１０に示すように、側板９の内面側にねじ止めや溶接等の固定手段で固定される基部１５と、基部１５に取り付けられて天板１の後端を受け支える支持部１６と、基部１５に対する支持部１６の位置を調整するストッパ位置調整手段とを有して構成されている。基部１５は、側板９に固定される固定部１５ａと、この固定部１５ａと直交し且つ収納部２の内側に延びるように連結され、支持部１６が取り付けられる取付部１５ｂとを有している。ストッパ位置調整手段は、例えば支持部１６に一体に設けられた雄ねじ１６ａと、基部１５に固定されてこの雄ねじ１６ａが螺合する雌ねじ１７とにより構成される。尚、雌ねじ１７が固定される基部１５には、雄ねじ１６ａが移動可能に貫通する孔１８が設けられている。支持部１６は位置調整の際の雄ねじ１６ａの回転に支障がないように円板形状としている。以上の構成により、支持部１６を基部１５に対して回転させることにより、基部１５に対する支持部１６の位置を調整できる。これにより、天板１の収納時における下限位置を調整できるようにしている。
【００１８】
上ストッパは、例えば図２および図９に示すように、ベース板８の上方に固定された第１ストッパ１９と、２つの側板９の間を掛け渡すように側板９に固定された第２ストッパ２０とにより構成されている。上ストッパおよび２つの側板９によって収納部２の開口（換言すれば天板１の出入口）が形成されている。
【００１９】
第１ストッパ１９は、天板１が収納部２に対して鉛直上方にスライド移動する場合に天板側ストッパ７と係合して天板１が収納部２から抜け出てしまうことを防止し、且つ天板１が収納部２から引き出された際に天板１の表面１ａ側と接触して天板１が使用状態への回転とは逆に回転してしまうことを防止し、且つ天板１が水平状態にある場合に天板側ストッパ７と係合して天板１が水平状態を超えて回転してしまうことを規制する。この第１ストッパ１９は、例えば図９に示すように、第１部材２１と第２部材２２とを溶接等の固定手段で固着することにより構成されている。第１部材２１は、ベース板８にねじ止めや溶接等の固定手段で固定される固定部２１ａと、この固定部２１ａと直交し且つ収納部２の内側に延びるように連結されて、天板１が上限位置にある場合に天板側ストッパ７と係合する係合部２１ｂと、この係合部２１ｂと直交し且つ収納部２の上方に延びるように連結されて、第２部材２２が固着される接続部２１ｃとを有している。第２部材２２は、天板１の表面１ａ側と接触すると共に、天板１が上限位置にある場合に天板側ストッパ７と係合する係合部２２ａと、収納部２の上面側を閉塞するカバー部２２ｂとを有している。第２部材２２は、収納部２の上面における天板１の出入口以外の部分を閉塞する上カバーとしても機能する。
【００２０】
第２ストッパ２０は、水平状態にある天板１の裏面１ｃを支持することにより、天板１が水平状態を超えて転回することを規制する。第２ストッパ２０は、例えば側板９に形成された溝に嵌め合わされて溶接等の固定手段で側板９に固定されている。また、第２ストッパ２０にはフランジが設けられて剛性を高めるように構成されている。第２ストッパ２０と収納位置にある天板１の端材６との間には、使用者が指を差し込むことができる程度の隙間２３が設けられており、天板１を収納部２から引き出し易いようにしている。第２ストッパ２０には、カバー１４の先端部１４ａが挿し込まれる溝が形成されている。当該溝にカバー１４の先端部１４ａが挿し込まれると共に、カバー１４の下部１４ｂが下カバー１３に例えばねじ止めで固定される。カバー１４と第２ストッパ２０とはほぼ同一面を形成し、またカバー１４と側板９とはほぼ同一面を形成するように、カバー１４の大きさが設定されている。
【００２１】
天板１は、スライダガイド１０に案内されて収納部２内をスライドし、下ストッパ１１に当接することで、収納位置に位置決めされる。一方、天板１が収納部２から引き出されて天板１とスライダガイド１０との係合が外れることで、天板１は使用状態となる水平状態まで収納部２に対して回転可能になる。収納部２内におけるスライダガイド１０の上方には、天板１の当該回転に支障のないスペースが形成されている。尚、天板１を収納部２内でスライドさせる機構および収納部２から引き出された天板１を水平状態まで回転させる機構は、特に限定されるものではなく、既知または新規の機構を適宜採用しても良い。
【００２２】
本実施形態のローラ部３は、ローラ取付手段２４によりベース板８に取り付けられている。このローラ部３は、ローラ取付手段２４によって回転可能に支持されて天板１の幅方向を回転軸とするシャフト２５と、このシャフト２５に取り付けられて天板１との接触部となるゴム製のＯリング２６とにより構成されている。Ｏリング２６が天板１に接触することにより、摩擦によって天板１の移動に伴いシャフト２５が回転するようにしている。また、Ｏリング２６は複数（例えば４つ）設けるようにしている。天板１との接触部となるＯリング２６を複数設けることで、天板１のスライド移動をより良好にシャフト２５の回転に伝達することができる。また図６（Ａ）に示すように、シャフト２５にはＯリング２６を取り付けるための溝２５ａが形成されており、この溝２５ａにＯリング２６が嵌ることによってＯリング２６がシャフト２５の軸方向に移動してしまうことを防止するようにしている。また図６（Ｂ）に示すように、ベース板８におけるＯリング２６と対向する部分に穴２７を設けるようにして、Ｏリング２６がベース板８に接触することを防止し、ローラ部３の円滑な回転が妨げられないようにしている。
【００２３】
ローラ取付手段２４はシャフト２５の両端を支持するように２つ設けられている。このローラ取付手段２４は、例えば図４に示すように、ベース板８に固定される固定部２４ａと、この固定部２４ａと直交し且つ収納部２の内側に延びるように連結されて、シャフト２５を支持する支持部２４ｂとを有して構成されている。支持部２４ｂは天板１と接触することのない形状および大きさに形成されている。
【００２４】
ローラ取付手段２４は、例えば本実施形態では、収納部２の中央で、且つ上方、但しスライダガイド１０の上端よりも下方側に配置するようにしている（図１および図２参照）。収納部２の中央にローラ部３を配置することで、ローラ部３と天板１との間に生じる摩擦抵抗の天板１幅方向におけるバランスを良好にでき、天板１が傾いた状態でスライドしてしまうことを防止できる。また、収納部２の上方にローラ部３を配置することで、天板１の自重落下の初期の段階からロータリーダンパ４を作用させることが可能となる。また、スライダガイド１０の上端よりも下方にローラ部３を配置することで、収納部２から引き出されてスライダガイド１０との係合が外れた天板１が水平状態に回転する際に、天板１がローラ部３と接触してしまうことがない。ここで、天板側ストッパ７は、ローラ部３を挟むようにして２つ設けられており、ローラ部３およびスライダガイド１０と接触しない位置関係に配置されている（図１および図３参照）。
【００２５】
ローラ取付手段２４の一方はシャフト２５の一端側を回転可能に支持する。これに対し、ローラ取付手段２４の他方にはロータリーダンパ４が例えばねじ止め等の固定手段で固定される。そして、図４に示すように、ロータリーダンパ４の回転軸４ａは、回転軸４ａの回転軸心がシャフト２５の回転軸心と一致するように、例えばねじ止め等の固定手段でシャフト２５の他端側に固定される。これにより、シャフト２５の回転がロータリーダンパ４に伝達される。
【００２６】
ロータリーダンパ４は、一方向の回転に対して抵抗力を発生する装置である。このロータリーダンパ４として例えば図示を省略するが、回転軸４ａと一体となって回転する回転体と、この回転体を回転可能に支持するケーシングと、回転体とケーシングとの間に介在する粘性流体（例えばシリコンオイル）と、粘性流体の漏れを防ぐシール材などを備えて、粘性流体の粘性抵抗により発生する制動力（ブレーキ力）を利用し、回転体が制動力発揮方向へ回転する場合に粘性液体の流れを妨げるようにして大きな粘性抵抗を発生させる一方、非制動力発揮方向（制動力発揮方向とは逆方向）へ回転体が回転する場合には粘性液体の流れを妨げないようにして粘性抵抗を発生させないように構成されたものが知られている。このようなロータリーダンパ４として、例えば不二精器株式会社製などの市販のものを使用できる。但し、ロータリーダンパ４自体の構造や構成が特に限定されるものではなく、一方向の回転に対して抵抗力を発生する既知又は新規のロータリーダンパ４を採用しても良いのは勿論である。ロータリーダンパ４は、天板１の所望の落下スピードが得られる制動力を有するものが選択される。このロータリーダンパ４の制動力発揮方向は、収納位置に向かう天板１の移動に伴うローラ部３の回転と一致するように設定する。
【００２７】
さらに、本実施形態のローラ取付手段２４は、例えば図５に示すように、接触位置調整手段２８を備えるようにしている。この接触位置調整手段２８は、例えば第１調整部としての２組のボルト２９およびナット３０と、第２調整部としての２つの調整ねじ３１により構成されている。ベース板８には、ボルト２９の頭部２９ａが嵌め込まれる孔が設けられおり、ローラ取付手段２４にはボルト２９のねじ部２９ｂが移動可能に貫通する孔３２が設けられている。ローラ取付手段２４には調整ねじ３１が螺合するねじ孔３３が設けられている。第１調整部としてのボルト２９およびナット３０は、ローラ取付手段２４とベース板８を締結するように配置され、第２調整部としての調整ねじ３１は回転することによってローラ取付手段２４からベース板８に向かって突出するように配置される。従って、第１調整部を緩めておいてローラ取付手段２４とベース板８との間に隙間が生じるようにし、この隙間の分だけ調整ねじ３１をローラ取付手段２４からベース板８に向かって突出させることで、ローラ取付手段２４を天板１側に移動させることができる。これにより、ベース板８に対するローラ取付手段２４の位置関係を調整でき、ローラ部３の天板１に対する接触圧力を調整することができる。尚、調整ねじ３１の突出量を零として、ローラ取付手段２４を隙間の無いようにベース板８に固定することも勿論可能である。尚、図示は省略するが、同様の接触位置調整手段２８を天板側ストッパ７に設けて、天板１に対する天板側ストッパ７の突出量を調整できるようにしても良い。この場合、収納部２における上ストッパと天板側ストッパ７との係合位置を調整することができる。
【００２８】
本発明に係る収納式天板は、例えば各種ホールや劇場あるいは公民館などに設置される椅子３４（以下、単に劇場用椅子３４と呼ぶ。）用のメモ台（筆記台）として利用することができる。例えば図７に示すように、劇場用椅子３４の前方に設置された支柱３５に側板９をねじ止め等で固定して、２本の支柱３５によって収納部２を支持するようにしても良い。或いは図８に示すように、劇場用椅子３４の背裏側に収納部２のベース板８をねじ止め等で固定するようにしても良い。但し、本発明に係る収納式天板は、劇場用椅子３４に用いるメモ台には限らず、例えば収納部２を壁などに取り付けて天板１を各種作業用の台として機能させても良い。
【００２９】
以上のように構成された収納式天板によれば、天板１を収納部２に収納する際に、天板１が収納部２内を落下するのに伴ってローラ部３が回転すると同時に、ロータリーダンパ４が当該ローラ部３の回転に対して抵抗力即ちブレーキ力を発生させるので、天板１の落下スピードが抑えられ、天板１を収納位置までゆっくりと下降させることができる。従って、天板１の収納時における騒音は無くなり、また落下の衝撃による部品の破損の虞も無くなり、さらに使用者の指などを天板１と収納部２の間に挟んでしまう危険も回避することができる。しかも、天板１の急落下を防止するために巻ばねやガスダンパは不要であり、収納式天板の構造の簡素化ひいては収納式天板のコンパクト化および製造コスト低減を図ることができる。一方、天板１を収納部２から引き出す際にはローラ部３が逆回転するが、一方向性のロータリーダンパ４は当該ローラ部３の回転に対しては制動力を発生しないため、天板１をスムーズに引き出すことができる。
【００３０】
なお、上述の実施形態は本発明の好適な実施の一例ではあるがこれに限定されるものではなく、本発明の要旨を逸脱しない範囲において種々変形実施可能である。例えば上述の実施形態では、ローラ部３を天板１の表面１ａに接触するようにしたが、ローラ部３を天板１の裏面１ｃまたは側面１ｂと接触するように構成しても良い。ローラ部３を天板１の裏面１ｃまたは側面１ｂと接触する場合、天板１の表面１ａにローラ部３との接触の痕（例えばゴム痕）がついてしまうことを防止できる利点がある。
【００３１】
ローラ部３を天板１の裏面１ｃに接触させる場合、ローラ部３とロータリーダンパ４の双方を天板１の裏面１ｃ側に配置するようにしても良い。或いは、図１１に示すようにロータリーダンパ４を天板１の表面１ａ側に配置する一方、ローラ部３を天板１の裏面１ｃ側に配置し、ロータリーダンパ４の回転軸４ａと一体に設けたピニオン３６と、ローラ部３のシャフト２５と一体に設けた第１の歯車３７とを、第２の歯車３８により接続して、ローラ部３の回転を第１の歯車３７および第２の歯車３８およびピニオン３６を介してロータリーダンパ４に伝達するようにしても良い。
【００３２】
また、ローラ部を天板１の側面１ｂに接触させる場合、例えば図１２に示すように、ロータリーダンパ４の回転軸４ａと一体にピニオン３６を設けて、このピニオン３６と噛み合うラック３９を天板１の側面１ｂに設けるようにしても良い。この場合、ピニオン３６が天板１の収納部２に対するスライド移動によって回転するローラ部となる。
【００３３】
さらに、例えば図１３に示すように、ロータリーダンパ４の回転軸４ａと一体に第１のベベルギア４０を設けて、この第１のベベルギア４０と噛み合う第２のベベルギア４１をローラ部３のシャフト２５と一体に設けて、ローラ部３の回転を第２のベベルギア４１および第１のベベルギア４０を介してロータリーダンパ４に伝達するようにしても良い。
【００３４】
また、上述の実施形態では、ローラ部３およびロータリーダンパ４を収納部２に設けたが、ローラ部３およびロータリーダンパ４を天板１に設けるようにしても良い。この場合、天板１が収納部２に対してスライド移動する際に、天板１に設けられたローラ部３が収納部２と接触し、天板１の移動に伴ってローラ部３が回転し、天板１の収納方向の移動に伴うローラ部３の回転に対して抵抗力を発生するように、ロータリーダンパ４をローラ部３に接続する。この構成によっても、上述の実施形態と同様の効果を得ることができる。
【００３５】
尚、ロータリーダンパ４とローラ部３との接続は、同軸接続としてローラ部３の回転を直接ロータリーダンパ４に伝える構成のほか、伝達手段（歯車やタイミングベルトなど）を介してローラ部３の回転をロータリーダンパ４に伝える構成であっても良い。また、収納部２または天板１とローラ部３との接触の態様は、Ｏリング２６などを用いた摩擦接触であっても良く、ピニオンとラックのようなギヤによる接触であっても良い。また、上述の実施形態の収納式天板では、ローラ部３とロータリーダンパ４をそれぞれ１つ備えるものとしたが、ローラ部３やロータリーダンパ４の数は複数であっても良い。例えば、天板１の重量が大きい場合など、１つのロータリーダンパ４では天板１の落下スピードを充分に抑えることが難しい場合には、複数のロータリーダンパ４を単数または複数のローラ部３に接続するようにしても良い。ローラ部３やロータリーダンパ４の数を適宜選択することによって天板１の落下スピードを所望の速度に調整できる。
【発明の効果】
以上の説明から明らかなように、請求項１記載の収納式天板によれば、収納部と天板の一方に回転可能に設けられて収納部と天板の他方と接触し、天板の収納部に対するスライド移動によって回転するローラ部と、ローラ部に接続されて天板の収納方向の移動に伴うローラ部の回転に対して抵抗力を発生する一方向性のロータリーダンパとを備えているので、収納時における天板の落下スピードが抑えられ、天板を収納位置までゆっくりと下降させることができる。従って、天板の収納時における騒音は無くなり、また落下の衝撃による部品の破損の虞も無くなり、さらに使用者の指などを天板と収納部の間に挟んでしまう危険も回避することができる。しかも、天板の急落下を防止するために巻ばねやガスダンパは不要であり、収納式天板の構造の簡素化ひいては収納式天板のコンパクト化および製造コスト低減を図ることができる。一方、天板を収納部から引き出す際にはローラ部が逆回転するが、一方向性のロータリーダンパは当該ローラ部の回転に対しては制動力を発生しないため、天板をスムーズに引き出すことができる。
【図面の簡単な説明】
【図１】本発明の収納式天板の実施の一形態を示す概略背面図である。
【図２】図１のＩＩ−ＩＩ線で切った状態を示す収納式天板の概略縦断面側面図である。
【図３】図１のＩＩＩ−ＩＩＩ線で切った状態を示す収納式天板の概略断面上面図である。
【図４】上記収納式天板が備えるローラ部を収納部の背面から拡大して示す概略図である。
【図５】図４のＶ−Ｖ線で切った状態を示す概略断面図である。
【図６】（Ａ）は図４のＶＩ−Ａ線で切った状態を示す概略断面図であり、（Ｂ）はローラ部を収納部の正面から拡大して示す概略図である。
【図７】本発明の収納式天板を劇場用椅子に適用した場合の一例を示す概略側面図である。
【図８】本発明の収納式天板を劇場用椅子に適用した場合の他の例を示す概略側面図である。
【図９】図２の収納部の上部を拡大して示す概略縦断面側面図である。
【図１０】図２の収納部の下部を拡大して示す概略縦断面側面図である。
【図１１】本発明の収納式天板の他の実施形態を示す概略側面図である。
【図１２】本発明の収納式天板の他の実施形態を示す概略正面図である。
【図１３】本発明の収納式天板の他の実施形態を示す概略上面図である。
【符号の説明】
１  天板
２  収納部
３  ローラ部
４  ロータリーダンパ
【図１】
2004248720.tif 000003
【図２】
2004248720.tif 000004
【図３】
2004248720.tif 000005
【図４】
2004248720.tif 000006
【図５】
2004248720.tif 000007
【図６】
2004248720.tif 000008
【図７】
2004248720.tif 000009
【図８】
2004248720.tif 000010
【図９】
2004248720.tif 000011
【図１０】
2004248720.tif 000012
【図１１】
2004248720.tif 000013
【図１２】
2004248720.tif 000014
【図１３】
2004248720.tif 000015